(57)【特許請求の範囲】
【請求項１】
作動体と、該作動体に連係手段を介して夫々連係されると共に、先端が係合孔部に挿入し得るように前進した係合位置および先端が係合孔部から離脱し得るように後退した解除位置の間で前記作動体の作動方向に対して交差する方向へ移動可能に配設され、係合位置に向けて付勢された一対のラッチとを備えたロック装置であって、
前記連係手段は、
前記作動体または前記ラッチの一方に設けられた軸部と、
前記作動体または前記ラッチの他方に、前記軸部に対応するように設けられ、前記作動体の動作に応じて該軸部と当接したもとでラッチを係合位置から解除位置に向けた解除方向に移動させる第１ガイド部と、
前記作動体または前記ラッチの他方に、対応の軸部を挟んで前記第１ガイド部に対向するように設けられ、該軸部と当接したもとで対応のラッチの解除方向への移動に連動して別のラッチを解除方向に移動させる第２ガイド部とを備え、
前記ラッチの先端が前記係合孔部の開口縁に重なる係脱境界において、前記第２ガイド部に当接した軸部と前記第１ガイド部との間に、該ラッチの解除位置から係合位置へ向けた移動を許容し得る隙間があくように、第２ガイド部が形成された
ことを特徴とするロック装置。
【請求項２】
前記第１ガイド部および前記第２ガイド部は、前記軸部の移動ラインと交差するよう形成され、
前記第２ガイド部は、前記解除方向に向かうにつれて前記第１ガイド部から離れるように形成される請求項１記載のロック装置。
【請求項３】
前記第２ガイド部は、曲線的に延在するよう形成される請求項１または２記載のロック装置。
【請求項４】
前記一対のラッチは、通常位置と操作位置との間で移動する前記作動体の作動方向と交差する方向に該作動体を挟んで対称な関係で移動するよう構成され、
前記軸部が各ラッチにおける前記作動体に重なる基端側に設けられる一方、前記第１ガイド部および前記第２ガイド部が前記作動体に設けられ、
前記第１ガイド部は、対応の軸部に対して前記ラッチの先端側に位置して、前記作動体の操作位置側から通常位置側に向かうにつれて前記ラッチの先端から離れるように形成され、
前記第２ガイド部は、対応の軸部に対して前記ラッチの基端側に位置して、前記作動体の操作位置側から通常位置側に向かうにつれて前記第１ガイド部との間隔が広がるように形成された請求項１〜３の何れか一項に記載のロック装置。
【発明の詳細な説明】
【技術分野】
【０００１】
この発明は、ロック装置に関するものである。
【背景技術】
【０００２】
自動車は、インストルメントパネルに設けられたグローブボックスや運転席と助手席との間に設けられたコンソールボックスなどの収納ボックスを備えている。これらの収納ボックスは、該ボックス自体や該ボックスを塞ぐ蓋等を開放規制するロック装置を備えており、ロック装置によって自動車の走行時の蓋等のがたつきを防止したり、蓋等の意図しない開放を防止している。
【０００３】
特許文献１に開示のロック装置は、操作ハンドルを揺動することで回転する円筒形の筒部と、この筒部に一端部が挿入されると共に他端部がロック孔に挿脱されるラッチとを備え、筒部に開設されたカム溝のカム面にラッチの他端部に設けられたピンが係合するようになっている。特許文献１のロック装置は、操作ハンドルの操作による筒部の回転によってカム溝のカム面にピンが案内されることで、ラッチがロック孔から後退するように移動されてロックが解除され、グローブボックスの開放が可能になる。またグローブボックスを閉じる際には、ラッチをロック孔の開口縁に押し当てることで、筒部にラッチの後退方向に延在するように形成された逃げ溝においてピンの移動が許容されるから、ラッチを後退移動させるができる。すなわち、操作ハンドルを操作することなく、グローブボックスを閉じることが可能になっている。特許文献１のロック装置は、左右一対のラッチのピンが対応の逃げ溝において後退移動が可能であるので、左右のラッチを互いに独立して後退移動させることができる。しかしながら、前記ロック装置の構成であると、左右のラッチを互いに独立して後退移動させることができるが故に、寸法精度や経時変化による位置ずれ等に起因して、一方のラッチがロック孔に係合しても、他方のラッチがロック孔に係合しない不都合が生じることがある。
【０００４】
そこで、特許文献２に開示のロック装置のように、一方のラッチのロック孔から後退する移動に連動して、他方のラッチも対応のロック孔から後退移動する構成が提案されている。特許文献２のロック装置は、操作子に「ハ」の字状に設けられた左右のカム溝に、左右のラッチの一端部に夫々設けられたピンが挿入されており、操作子を操作することで、カム溝における外側のカム面にピンが案内されてラッチが後退移動するようになっている。また蓋を閉じる際には、ラッチが押されることで、カム溝において外側のカム面と平行に設けられた内側のカム面にピンが当接して操作子を移動させることで、左右両側のラッチが連動して後退移動される。
【先行技術文献】
【特許文献】
【０００５】
【特許文献１】特開２００３−１３６４７号公報
【特許文献２】特開２００６−７６３４４号公報
【発明の概要】
【発明が解決しようとする課題】
【０００６】
特許文献２のロック装置は、蓋を閉じる際にラッチを後退移動させることで、片方のラッチだけがロック孔に係合することを防止することができる。しかしながら、寸法精度や経時変化による位置ずれ等に起因して、左右両側のラッチがロック孔に同時に当接しないときがあり、この場合に片方のラッチを後退させるだけではなく、操作子や他方のラッチを片方のラッチの押圧に伴って移動させることになる。従って、蓋を閉じる際に負荷が大きくかかって、操作感が悪化することがある。
【０００７】
すなわち本発明は、従来の技術に係るロック装置に内在する前記問題に鑑み、これらを好適に解決するべく提案されたものであって、操作感がよいロック装置を提供することを目的とする。
【課題を解決するための手段】
【０００８】
前記課題を克服し、所期の目的を達成するため、本願の請求項１に係る発明のロック装置は、
作動体と、該作動体に連係手段を介して夫々連係されると共に、先端が係合孔部に挿入し得るように前進した係合位置および先端が係合孔部から離脱し得るように後退した解除位置の間で前記作動体の作動方向に対して交差する方向へ移動可能に配設され、係合位置に向けて付勢された一対のラッチとを備えたロック装置であって、
前記連係手段は、
前記作動体または前記ラッチの一方に設けられた軸部と、
前記作動体または前記ラッチの他方に、前記軸部に対応するように設けられ、前記作動体の動作に応じて該軸部と当接したもとでラッチを係合位置から解除位置に向けた解除方向に移動させる第１ガイド部と、
前記作動体または前記ラッチの他方に、対応の軸部を挟んで前記第１ガイド部に対向するように設けられ、該軸部と当接したもとで対応のラッチの解除方向への移動に連動して別のラッチを解除方向に移動させる第２ガイド部とを備え、
前記ラッチの先端が前記係合孔部の開口縁に重なる係脱境界において、前記第２ガイド部に当接した軸部と前記第１ガイド部との間に、該ラッチの解除位置から係合位置へ向けた移動を許容し得る隙間があくように、第２ガイド部が形成されたことを要旨とする。
請求項１に係る発明によれば、ラッチを移動させる際に最も荷重がかかる係脱境界において、一対のラッチを非連動にすることができるので、ラッチを移動させる際の負荷を軽減し、全体として操作感を向上することができる。
【０００９】
請求項２に係る発明では、前記第１ガイド部および前記第２ガイド部は、前記軸部の移動ラインと交差するよう形成され、
前記第２ガイド部は、前記解除方向に向かうにつれて前記第１ガイド部から離れるように形成されることを要旨とする。
請求項２に係る発明によれば、例えばラッチが係合孔部に係合するような通常状態において、軸部とガイド部との隙を小さくできるのでガタを少なくできる。
【００１０】
請求項３に係る発明では、前記第２ガイド部は、曲線的に延在するよう形成されることを要旨とする。
請求項３に係る発明によれば、ラッチの解除方向の移動に伴って軸部から第２ガイド部に力を伝達する際に伝達ロスを抑えることができる。
【００１１】
請求項４に係る発明では、前記一対のラッチは、通常位置と操作位置との間で移動する前記作動体の作動方向と交差する方向に該作動体を挟んで対称な関係で移動するよう構成され、
前記軸部が各ラッチにおける前記作動体に重なる基端側に設けられる一方、前記第１ガイド部および前記第２ガイド部が前記作動体に設けられ、
前記第１ガイド部は、対応の軸部に対して前記ラッチの先端側に位置して、前記作動体の操作位置側から通常位置側に向かうにつれて前記ラッチの先端から離れるように形成され、
前記第２ガイド部は、対応の軸部に対して前記ラッチの基端側に位置して、前記作動体の操作位置側から通常位置側に向かうにつれて前記第１ガイド部との間隔が広がるように形成されたことを要旨とする。
請求項４に係る発明によれば、例えばラッチを係合孔部に係合させた通常状態で、軸部とガイド部との隙を小さくできるのでガタを少なくできる。
【発明の効果】
【００１２】
本発明に係るロック装置によれば、ラッチを移動させる際の負荷を抑えることができるので、操作感を向上できる。
【図面の簡単な説明】
【００１３】
【図１】本発明の好適な実施例に係るロック装置を示す概略平面図であって、ロック状態にある。
【図２】実施例のロック装置を示す概略正面図であって、ロック状態にある。
【図３】実施例のロック装置を示す概略平面図であって、ロック解除状態にある。
【図４】実施例のロック装置を示す概略正面図であって、ロック解除状態にある。
【図５】実施例のガイド部と軸部との関係を示す説明図であって、(ａ)はロック状態を示し、(ｂ)は係脱境界にある状態を示す。
【図６】実施例のラッチと係合孔部との関係を示す説明図であって、(ａ)はラッチの先端がスロープに案内される状態を示し、(ｂ)は係脱境界にある状態を示し、(ｃ)はラッチが係合孔部に挿入された状態を示す。
【図７】実施例のロック装置を適用したコンソールボックスを示す概略斜視図である。
【発明を実施するための形態】
【００１４】
次に、本発明に係るロック装置につき、好適な実施例を挙げて、添付図面を参照して以下に説明する。なお、実施例では、車両における運転席と助手席との間に設けられるコンソールボックス(図７参照)に本発明に係るロック装置を適用する場合を例示して説明する。そして、特に断りのない場合は、コンソールボックス１０の蓋部材１４を閉じた状態において、車両における上下前後左右方向を基準として方向を指称する。
【実施例】
【００１５】
図７に示すように、コンソールボックス１０は、上方へ開放する収納部１２ａが内部に画成された本体部材(第２部材)１２と、この本体部材１２の上部にヒンジを介して回動可能に取り付けられて、収納部１２ａを開閉する蓋部材(第１部材)１４とを備えている。本体部材１２および蓋部材１４は、平面視で前後方向に長い略矩形状に形成され、蓋部材１４の後縁部が、本体部材１２の後縁部上面に対してヒンジ接続されている。コンソールボックス１０は、蓋部材１４を本体部材１２の上部に倒伏した姿勢で収納部１２ａが蓋部材１４で塞がれ、蓋部材１４を本体部材１２の後縁部に上方へ起立した姿勢で収納部１２ａが開放される。また、コンソールボックス１０は、蓋部材１４の前端部にロック装置２０を備えており、ロック装置２０によって蓋部材１４が開放規制されるようになっている。蓋部材１４には、該蓋部材１４の上部を構成するアッパ部材１５と該蓋部材１４の下部を構成するロア部材１６との間に設置空間１４ａが画成され(図２または図４参照)、この設置空間１４ａにロック装置２０が配設されている。
【００１６】
図１〜図４に示すように、ロック装置２０は、蓋部材１４に対して移動可能に配設された作動体２２と、蓋部材１４に対して移動可能に配設され、連係手段２８,３０,３２を介して作動体２２に夫々連係された一対のラッチ２４,２４とを備えている。作動体２２および一対のラッチ２４,２４は、蓋部材１４の設置空間１４ａに設置されるベース２６に夫々スライド移動可能に配設され、ロック装置２０はベース２６を介して１つのユニットとして取り扱い可能となっている。ロック装置２０は、蓋部材１４から突出したラッチ２４の先端を本体部材１２の係合孔部１８に係合させて、蓋部材１４の本体部材１２に対する姿勢変位を規制する一方、作動体２２を動作させるロック解除操作によってラッチ２４を係合孔部１８から退避させることで、蓋部材１４の開放を許容するようになっている。そして、ロック装置２０は、開放した蓋部材１４を閉める際には、ラッチ２４の先端が本体部材１２における係合孔部１８の周辺部に設けられたスロープ１７に案内されることでラッチ２４が係合孔部１８から退避する側に移動され、ラッチ２４の先端が係合孔部１８の開口縁１８ａに重なる位置(係脱境界)を乗り越えて係合孔部１８に係合される(図６参照)。
【００１７】
前記作動体２２は、使用者によるロック解除操作前に保持される通常位置(図１参照)と、使用者によるロック解除操作時の操作位置(図３参照)との間で、前後方向へスライド移動可能にベース２６に支持されている。作動体２２は、略矩形状に形成された板状部材であって、通常位置において前端部(操作端部)が蓋部材１４の前縁部中央に開設された操作開口１４ｂ(図７参照)を介して外方へ露出している。そして、作動体２２は、通常位置において操作端部を使用者が後方へ押すように指先操作することで、操作位置に移動される。なお、作動体２２は、後述する付勢体３４によって操作位置から通常位置へ向けて弾力的に付勢されている。
【００１８】
図１または図３に示すように、前記一対のラッチ２４,２４は、作動体２２の作動方向(実施例では前後方向)に対して交差する方向(実施例では左右方向)へ移動可能にベース２６に配設されている。各ラッチ２４は、左右方向に長手を延在させた棒状部材である。一対のラッチ２４,２４は、左右方向に直列に並んで、作動体２２(作動体２２の作動ライン)を挟んで対称な関係で配置されている。各ラッチ２４は、一端(基端)がベース２６と該ベース２６における左右方向中央部に配置された作動体２２との間に位置しており、他端(先端)が蓋部材１４の側面に開設されたラッチ開口１４ｃ(図７参照)を介して外側方に突出するようになっている。そして、各ラッチ２４は、先端が本体部材１２の側面に設けられた係合孔部１８に挿入し得るように前進した係合位置(図１および２参照)と、先端が係合孔部１８から離脱し得るように後退した解除位置(図６(ｂ)参照)との間で、左右方向にスライド移動され、対応の係合孔部１８に対して進退動可能になっている。すなわち、一対のラッチ２４,２４は、作動体２２の下側で向かい合う基端が互いに接離するようにスライド移動される。各ラッチ２４の先端は、円弧状に面取りされており、係合孔部１８の開口縁１８ａも円弧状に面取りされ(図６(ａ)参照)、前記係脱境界において互いの面取り部分が重なってラッチ２４の先端が開口縁１８ａに掛かる。ここで、ラッチ２４における先端のラッチ面取り曲率Ｒ１は、係合孔部１８における開口縁面取り曲率Ｒ２よりもが大きく設定されている。なお、各ラッチ２４および該ラッチ２４を作動する連係手段２８,３０,３２の構成の説明において、係合位置から解除位置へ向けた方向を解除方向といい、解除位置から係合位置へ向けた方向を係合方向という。
【００１９】
前記ロック装置２０では、作動体２２およびラッチ２４,２４に設けられた連係手段２８,３０,３２によって作動体２２の移動とラッチ２４,２４の移動とが移動向きを変えて連係される。ロック装置２０には、作動体２２とラッチ２４とを連動させる連係手段２８,３０,３２の構成および後述する第１規制部の構成が、夫々のラッチ２４に対応して設けられており、これらの構成が作動体２２の作動ラインを挟んで対称な関係で配置されている。そこで、以下の説明では、一方のラッチ２４に対応する連係手段２８,３０,３２や第１規制部の構成だけ基本的に説明し、他方のラッチ２４に対応する構成についても同じ符号を付して説明を省略する。
【００２０】
図１〜図５に示すように、連係手段は、作動体２２に設けられたガイド部２８,３０と、各ラッチ２４の基端側に設けられ、ガイド部２８,３０に係合可能な軸部３２と、ラッチ２４を付勢する付勢体３４とを備えている。ここで、ガイド部としては、作動体２２の動作をラッチ２４に伝えるための第１ガイド部２８と、一方のラッチ２４の解除方向への動作を他方のラッチ２４に伝えるための第２ガイド部３０とを有している。ここで、連係手段は、係合位置から解除方向へ向かうラッチ２４の初期動作に際して両ラッチ２４,２４を連動させ、ラッチ２４が係合境界近傍に至った終期動作に際して両ラッチ２４の非連動を許容するよう構成される。第１ガイド部２８および第２ガイド部３０は、作動体２２に上下に貫通するよう形成された案内開口部３６のなす壁面で形成されている。また軸部３２は、ラッチ２４の上面に上方へ突出形成された円柱状部分であって、案内開口部３６に下方から挿入されてガイド部２８,３０に当接可能になっている。
【００２１】
前記第１ガイド部２８は、作動体２２の通常位置から操作位置への移動に際して軸部３２に当接したもとで、ラッチ２４を係合位置から解除位置へ向けた解除方向に移動させるよう構成されている。より具体的には、第１ガイド部２８は、作動体２２の操作位置側から通常位置側に向かうにつれてラッチ２４の先端側から離れるように形成されて、ラッチ２４の移動に伴う軸部３２の移動ラインと交差するよう延在している(図１,図２または図５参照)。また、第１ガイド部２８は、対応の軸部３２に対して係合方向側(ラッチ２４の先端側)に延在するよう配置されている。すなわち、作動体２２において左右一対の第１ガイド部２８,２８は、作動体２２の通常位置側から操作位置側へ向かうにつれて拡開する略「ハ」の字状になっている。そのため、作動体２２を通常位置から作動位置へ移動することによって、両方のラッチ２４,２４が同期して解除方向へ移動される。
【００２２】
前記第２ガイド部３０は、対応の軸部３２を挟んで第１ガイド部２８に対向するように設けられ、軸部３２と当接したもとで対応のラッチ２４の解除方向への移動に連動して他方のラッチ２４を解除方向に移動させるよう構成されている。すなわち、第２ガイド部３０は、対応の軸部３２に対して解除方向側(ラッチ２４の基端側)に延在している(図１、図３または図５参照)。第２ガイド部３０は、対応のラッチ２４が少なくとも前記係脱境界に位置した際に、該第２ガイド部３０に当接した軸部３２と第１ガイド部２８との間に、ラッチ２４の解除位置から係合位置へ向けた係合方向の移動を許容し得る揺動隙(隙間)Ｓ１があくように形成されている(図５(ｂ)参照)。より具体的には、第２ガイド部３０は、ラッチ２４の移動に伴う軸部３２の移動ラインに交差するように形成され、第１ガイド部２８と同様に作動体２２の操作位置側から通常位置側に向かうにつれてラッチ２４の先端側から離れるように基本的に延在している。ここで、第２ガイド部３０は、第１ガイド部２８と平行ではなく、前記解除方向に向かうにつれて第１ガイド部２８から離れるように形成されている。更に、第２ガイド部３０は、直線的に延在する第１ガイド部２８と異なって曲線的に延在するように形成されている。ここで、曲線的な第２ガイド部３０とは、接線連続形状であっても曲率連続形状であってもその他の湾曲形状であってもよく、実施例では曲率連続形状で形成されている。
【００２３】
前記軸部３２は、ラッチ２４が係合位置にあるときに、第１ガイド部２８および第２ガイド部３０の操作位置側に相対的に配置され、作動体２２を通常位置から操作位置に操作したときあるいはラッチ２４が解除方向に押されたときに、第１ガイド部２８および第２ガイド部３０の通常位置側に相対的に配置される。第１ガイド部２８および第２ガイド部３０の間隔は、ラッチ２４が係合位置にあるときに軸部３２が位置するロック部位(案内開口部３６の操作位置側)において、軸部３２の外形寸法におおよそ合わせて設定されている。ロック部位の間隔は、軸部３２の外形寸法に加えて、軸部３２の移動を許容するための僅かな初動隙Ｓ２が見込まれる(図５(ａ)参照)。第１ガイド部２８および第２ガイド部３０は、ラッチ２４の先端が係脱境界にあるときに軸部３２が位置する掛かり部位(案内開口部３６の中途位置)において、軸部３２の外形寸法に対して前記初動隙Ｓ２よりも大きい揺動隙Ｓ１を加えた間隔になるよう設定されている(Ｓ１＞Ｓ２)。すなわち、第２ガイド部３０は、作動体２２の操作位置側から通常位置側に向かうにつれて第１ガイド部２８との間隔を広げるように形成されている。
【００２４】
ここで、前記揺動隙Ｓ１は、係脱境界においてラッチ２４の係合孔部１８に対する挿脱に影響を与えるラッチ面取り曲率Ｒ１と係合孔部１８の開口縁面取り曲率Ｒ２とを勘案して(図６(ｂ)参照)、ラッチ面取り曲率Ｒ１と開口縁面取り曲率Ｒ２とを足し合わせた寸法よりも揺動隙Ｓ１が僅かに小さくなるよう設定されている(Ｒ１＋Ｒ２＞Ｓ１)。また、ロック部位と掛かり部位との軸部３２の移動ラインに沿う方向の間隔Ｄは、係合孔部１８に挿入されたラッチ２４を該係合孔部１８から離脱させるためのストロークＤと同じになる(図６(ｃ)参照)。すなわち、第２ガイド部３０は、初動隙Ｓ２を設定することでロック部位での第１ガイド部２８からの間隔が決まる。また、第２ガイド部３０は、ラッチ２４のストロークＤが決まれば、ロック部位からの掛かり部位(係脱境界)の位置が決まり、軸部３２の外形寸法、ラッチ面取り曲率Ｒ１および開口縁面取り曲率Ｒ２から設定された揺動隙Ｓ１によって、掛かり部位において必要な第１ガイド部２８との間隔が決まる。そして、ロック位置から掛かり部位までを例えば曲率連続となるように滑らかな曲線で結ぶように、第２ガイド部３０を形成すればよい。
【００２５】
図５に示すように、前記第１ガイド部２８および第２ガイド部３０には、通常位置側に逃げ部３８が連設されており、逃げ部３８によって案内開口部３６における通常位置側の閉塞端が形成されている。逃げ部３８における第２ガイド部３０に連設する部位は、第２ガイド部３０よりも軸部３２の移動ラインに対して略沿うような浅い角度で交差するように形成されており、ラッチ２４の解除方向の移動に伴って移動する軸部３２が第２ガイド部３０を越えると負荷を受け難くなっている。前記逃げ部３８によって形成された案内開口部３６の領域は、ロック装置２０の組み立てまたは分解時等に軸部３２が逃げるスペースとなり、係合孔部１８に対するラッチ２４の係脱させるという観点からは必須ではなく省略することも可能である。
【００２６】
前記付勢体３４は、ラッチ２４の夫々に対応して設けられ、実施例ではコイルばねが採用されている。付勢体３４は、ラッチ２４を係合方向(外側方)へ向けて常に弾性付勢するよう構成されている。そして、ロック装置２０は、付勢体３４によって係合方向へ向けてラッチ２４が付勢されるのに軸部３２と第１ガイド部２８との当接下に連係して、作動体２２が操作位置から通常位置に向けて付勢される。すなわち、ロック装置２０は、外部から力が加わっていない通常状態において、作動体２２が通常位置にあると共に、ラッチ２４が係合位置にあるように、付勢体３４によって保持されている。
【００２７】
前記ロック装置２０は、ガイド部２８,３０と軸部３２とからなる連係組の夫々に対応して、部材同士の干渉音の発生を抑える規制部４０を備えている(図１〜図４参照)。規制部４０は、作動体２２の下面に突出形成され、作動体２２が通常位置にあると共にラッチ２４が係合位置にある通常状態において、軸部３２に設けられたゴム製のＯリング３３と弾力的に当接するようになっている。そして、規制部４０は、作動体２２の移動に伴い軸部３２に対して相対的に接離すると共に、ラッチ２４の移動に伴い軸部３２に対して相対的に接離するように設けられている。
【００２８】
〔実施例の作用〕
次に、実施例に係るロック装置２０の作用について説明する。ロック装置２０は、前記通常状態において、軸部３２が案内開口部３６における操作位置側(ロック部位)に位置し、付勢体３４の付勢によって当該状態が保たれている。この際、係合孔部１８に挿入されたラッチ２４の先端が係合孔部１８に引っ掛かって、本体部材１２に対して蓋部材１４が開放規制される。作動体２２を通常位置から操作位置へ向けて押してロック解除操作を行うことで、操作位置側に変位する第１ガイド部２８に案内されて軸部３２が解除方向に移動するのに伴ってラッチ２４が係合孔部１８から離脱する。これにより、ロック装置２０によるロックが解除されて、蓋部材１４の開放が許容される。
【００２９】
前記蓋部材１４を閉じる前には、付勢体５８の付勢によって作動体２２および両ラッチ２４,２４が前記通常状態にある(図７参照)。蓋部材１４の閉成変位に伴って、蓋部材１４の外側方に突出したラッチ２４の先端が、係合孔部１８の周辺部に設けられたスロープ１７に案内されて(図６(ａ)参照)、ラッチ２４と共に解除方向に移動される軸部３２に第２ガイド部３０が押されることで、作動体２２が通常位置から操作位置へ向けて移動される。例えば一方のラッチ２４が解除方向に移動しているのに拘わらず他方のラッチ２４がまたスロープ１７に案内されず移動していない場合に、一方のラッチ２４が解除方向に移動すれば第２ガイド部３０と軸部３２との当接下に作動体２２が通常位置から操作位置に移動される。そして、他方のラッチ２４の軸部３２と対応の第１ガイド部２８との間の初動隙Ｓ２が小さく設定されているので、他方のラッチ２４の軸部３２と対応の第１ガイド部２８との当接により他方のラッチ２４が解除方向に直ちに移動される。これにより、ラッチ２４の初期動作において、左右のラッチ２４,２４が連動される。第１ガイド部２８と第２ガイド部３０との間隔が操作位置側から通常位置側へ向かうにつれて次第に拡開する構成であるので、ラッチ２４の先端がスロープ１７に案内されているような初期動作において、両ラッチ２４,２４の連動タイミングのずれを小さくすることができる。なお、ラッチ２４の先端がスロープ１７に案内されているような初期動作では、蓋部材１４を閉めるときの勢いがラッチ２４にかかっているので、両ラッチ２４,２４を連動させても蓋部材１４の操作感を損なうことはない。
【００３０】
前記ラッチ２４の先端が係合孔部１８の開口縁１８ａと重なる係脱境界において、ラッチ２４が係合孔部１８から最も後退した状態となり(図６(ｂ)参照)、付勢体３４の付勢力が大きくかかると共に、蓋部材１４を閉めるときの勢いを失っているので、蓋部材１４を閉めるために要する荷重が最も必要とされる。そして、ラッチ２４の先端が係合孔部１８の開口縁１８ａを乗り越えることで、付勢体３４の付勢によりラッチ２４が前進して係合孔部１８に挿入され(図６(ｃ)参照)、係合孔部１８に係合したラッチ２４によって蓋部材１４が開放規制される。
【００３１】
前記ロック装置２０は、第２ガイド部３０を第１ガイド部２８との間に揺動隙Ｓ１があくように形成しているので、係脱境界に到来するタイミングが左右のラッチ２４,２４でずれたとしても、揺動隙Ｓ１の存在によってラッチ２４の位置に応じて軸部３２が第２ガイド部３０から離れることが許容される。すなわち、最も荷重がかかる係脱境界において、一対のラッチ２４,２４のずれに対応して両ラッチ２４,２４を非連動状態にすることができ、他方のラッチ２４を連動させることによりかかる他方のラッチ２４の摺動抵抗および作動体２２の摺動抵抗やカタギ抵抗などの負荷を軽減することができる。更に、片方のラッチ２４ｂの先端が係合孔部１８の開口縁１８ａを乗り越えなくても、他方のラッチ２４の先端が係合孔部１８の開口縁１８ａを乗り越えて該係合孔部１８に係合することができる。このように、ロック装置２０は、ラッチ２４がスロープ１７に案内されている初期段階では、連係手段２８,３０,３２によって一対のラッチ２４,２４を積極的に連動させる一方、ラッチ２４が係脱境界にある段階では、一対のラッチ２４,２４の移動タイミングがずれても連係手段２８,３０,３２により一対のラッチ２４,２４を積極的に連動させない。ここで、連係手段は、第２ガイド部３０によって揺動隙Ｓ１を形成する構成であるので、揺動隙Ｓ１を考慮することなく第１ガイド部２８を作動体２２の動作に応じて軸部３２を解除方向に効率よく移動させ得る最適な形状に設定すればよく、作動体２２のロック解除操作時の操作感を良好に設定できる。
【００３２】
前記ロック装置２０は、第２ガイド部３０が第１ガイド部２８から解除方向に向かうにつれて離れるように形成されて、作動体２２の操作位置側から通常位置側へ向かうにつれて第１ガイド部２８と第２ガイド部３０との間隔が次第に広がるように構成されている。すなわち、前記通常状態にある軸部３２が位置するロック部位において第１ガイド部２８および第２ガイド部３０の間隔を狭小に設定して軸部３２とガイド部２８,３０との隙を小さくすることができる。従って、前記通常状態において連係手段２８,３０,３２のガタツキを抑えることができ、これらの構成要素の位置ずれや異音の発生等を防止できる。また、第２ガイド部３０は、曲線的に延在するように形成されているので、ラッチ２４の解除方向の移動に伴って軸部３２から該第２ガイド部３０に力を伝達する際に伝達ロスを抑えることができる。
【００３３】
(変更例)
前述した実施例に限定されず、例えば以下のように変更することも可能である。
(１)実施例では、ロック装置のベースを蓋部材と別体に設けたが、蓋部材をベースとして用いてもよい。例えば実施例の蓋部材のロア部材をベースとして、ロック装置の構成部材を配設する構成が例示される。
(２)実施例のロック装置では、使用者が作動体を直接操作する構成であるが、別の操作片を動かすことで、作動体が移動する構成であってもよい。
(３)実施例では、蓋部材にロック装置を配設したが、ロック装置を本体部材に配設し、ラッチの先端を蓋部材に設けた係合孔部に挿脱する構成であってもよい。
(４)実施例では、付勢体としてコイルばねを例示したが、トーションばねやその他のものを採用できる。
(５)実施例では、ラッチに軸部を設け、作動体にガイド部を設けたが、作動体に軸部を設けると共にラッチにガイド部を設けてもよい。
(６)実施例のようにラッチを１つの部品で構成する例に限られず、２以上の複数の部品で構成してもよい。
(７)ロック装置は、コンソールボックスに限定されず、グローブボックスやその他の収納部の蓋に適用可能であり、また車両に限定されない。  
【符号の説明】
【００３４】
１８ 係合孔部，１８ａ 開口縁，２２ 作動体，２４ ラッチ，２８ 第１ガイド部，
３０ 第２ガイド部，３２ 軸部，Ｓ１ 揺動隙(隙間)
【図１】
0005878732.tif 000002
【図２】
0005878732.tif 000003
【図３】
0005878732.tif 000004
【図４】
0005878732.tif 000005
【図５】
0005878732.tif 000006
【図６】
0005878732.tif 000007
【図７】
0005878732.tif 000008